(57)【要約】      （修正有）【課題】太陽電池モジュール一体型の屋根材にあって、接着剤の劣化等によって太陽電池モジュールが屋根材本体から剥離した場合でも、太陽電池モジュールを屋根材本体から崩落することのない固定治具を提供する。【解決手段】矩形状の水平部２の後端から立ち上がる第３起立部３及びその上端から直角に前方に延出する第２押さえ部４からなる上段側屋根材の押さえ部と、前記水平部の前端から第１折り曲げ部８を形成しつつ裏面側に折り返した第１折り返し部５と、その後端から立ち上がる第１起立部９及びその上端から直角に後方に延出する第１押さえ部１０からなる下段側屋根材の押さえ部を夫々備えた。【選択図】図４
2011089280.tif 000002
【特許請求の範囲】
【請求項１】
屋根材本体の上面に太陽電池モジュールを接着等により固定した太陽電池モジュール一
体型屋根材の固定冶具であって、矩形状の水平部と、該水平部の後端からほゞ垂直に立ち
上がる第３起立部及びその上端からほゞ直角に前方に延出する第２押さえ部からなる上段
側屋根材の押さえ部と、前記水平部の前端から第１折り曲げ部を形成しつつ裏面側に折り
返した第１折り返し部と、その後端からほゞ垂直に立ち上がる第１起立部及びその上端か
らほゞ直角に後方に延出する第１押さえ部からなる下段側屋根材の押さえ部をそれぞれ備
えたことを特徴とする太陽電池モジュール一体型屋根材の固定治具。
【請求項２】
請求項１記載の固定冶具の第１折り返し部を長さ方向に分割して複数の区画部を形成す
るとゝもに、前記第１折り返し部を形成しない区画部において、前記第１折り曲げ部とほ
ゞ同位置で第２折り曲げ部を形成しつつ前記水平部の表面側に折り返した第２折り返し部
と、該第２折り返し部の後端であって前記第３起立部の前方でほゞ垂直に立ち上がる第２
起立部とをそれぞれ備えたことを特徴とする請求項１記載の太陽電池モジュール一体型屋
根材の固定治具。
【請求項３】
請求項１記載の固定冶具の第１折り返し部を長さ方向に分割して３つの区画部を形成す
るとゝもに、中央の区画部において、前記第１折り曲げ部とほゞ同位置で第２折り曲げ部
を形成しつつ前記水平部の表面側に折り返した第２折り返し部と、該第２折り返し部の後
端であって前記第３起立部の前方においてほゞ垂直に立ち上がる第２起立部とをそれぞれ
備えたことを特徴とする請求項１記載の太陽電池モジュール一体型屋根材の固定治具。
【請求項４】
請求項１記載の固定冶具を用いて太陽電池モジュール一体型屋根材で屋根を軒棟方向に
葺く際の連結構造であって、屋根材の上辺係止部の取付部に釘等を打ち込んで下段側の屋
根材を野地板等に固定し、前記下段側の屋根材の上辺係止部を上段側の屋根材の下辺係止
部内に挿入して係止することによって屋根材を連結するとゝもに、前記下段側の屋根材と
上段側の屋根材との間に形成された連結隙間に前記固定冶具をその第１折り曲げ部を押入
して設置することで、前記第１押さえ部の下面で下段側の屋根材の太陽電池モジュールを
、前記第２押さえ部の下面で上段側の屋根材の太陽電池モジュールをそれぞれ固定する構
成としたことを特徴とする太陽電池モジュール一体型屋根材の連結構造。
【請求項５】
請求項２又は３記載の固定冶具を用いて太陽電池モジュール一体型屋根材で屋根を軒棟
方向に葺く際の太陽電池モジュール一体型屋根材の連結構造であって、屋根材の上辺係止
部の取付部に釘等を打ち込んで下段側の屋根材を野地板等に固定し、前記下段側の屋根材
の上辺係止部を上段側の屋根材の下辺係止部内に挿入して係止することによって屋根材を
連結するとゝもに、前記下段側の屋根材と上段側の屋根材との間に形成された連結隙間に
前記固定冶具の第１及び第２折り曲げ部をそれぞれ押入して設置することで、前記第１押
さえ部の下面で下段側の屋根材の太陽電池モジュールを、前記第２押さえ部の下面で上段
側の屋根材の太陽電池モジュールをそれぞれ固定する構成としたことを特徴とする請求項
２又は３記載の太陽電池モジュール一体型屋根材の連結構造。
【請求項６】
請求項２又は３記載の固定冶具を用いて太陽電池モジュール一体型屋根材で屋根を軒棟
方向に葺く際の太陽電池モジュール一体型屋根材の連結構造であって、屋根材の上辺係止
部の取付部に釘等を打ち込んで下段側の屋根材を野地板等に固定する一方、前記上段側の
屋根材の下辺係止部を前記固定冶具の水平部及び第３起立部並びに第２折り返し部及び第
２起立部よって形成される隙間に挿入して一体とし、前記下段側の屋根材の上辺係止部近
傍の表面と上辺係止部によって形成された隙間に前記固定冶具の第１及び第２折り曲げ部
をそれぞれ押入するとともに前記上辺係止部の凹部と係止させて設置することで、前記第
１押さえ部の下面で下段側の屋根材の太陽電池モジュールを、前記第２押さえ部の下面で
上段側の屋根材の太陽電池モジュールをそれぞれ固定する構成としたことを特徴とする請
求項２又は３記載の太陽電池モジュール一体型屋根材の連結構造。
【発明の詳細な説明】
【技術分野】
【０００１】
本発明は、太陽電池モジュール一体型の屋根材を連結しながら軒棟方向に葺く際あるい
は葺いた後に上段側の屋根材と下段側の屋根材との連結箇所に設置して、太陽電池モジュ
ールが屋根材から剥離等によって落下するのを防止するための太陽電池モジュール一体型
屋根材の固定治具及びこの固定治具を使用した太陽電池モジュール一体型屋根材の連結構
造に関する。
【背景技術】
【０００２】
近年、地球環境に配慮したクリーンエネルギーである太陽光を利用して発電を行い、二酸化炭素（ＣＯ2 ）の排出量を減らそうとするエコの意識が世の中で高まってきた。また、自宅の屋根に太陽光で発電する太陽電池モジュールを設置し、調理，給湯，空調などのシステムをすべてこの電気でまかなう家庭も年々増加している。
【０００３】
屋根に太陽電池モジュールを設置する方法としては、図１３に示すように、屋根１０４
にルーフィング材１０２を介して固定した取付金具１０３によって太陽電池モジュール１
０１を支持しながら設置する方法や、図１４に示すように、屋根材であるベース材１０９
上に固定部材１１０を介して太陽電池モジュール１１１が一体的に固定された太陽電池モ
ジュール一体型屋根材１０８を用い、この太陽電池モジュール一体型屋根材１０８で屋根
を葺くことで設置する方法、更には、図１５に示すように、表面に太陽電池モジュール１
１３を接着した瓦１１４を用い、この瓦１１４て屋根を葺くことで設置する方法などがあ
る。
【先行技術文献】
【特許文献】
【０００４】
【特許文献１】特開２００７−１８６９０４号公報
【特許文献２】特開２００６−３２８８８７号公報
【特許文献３】実開平５−３４３０号公報
【０００５】
しかし、図１３に示すような太陽電池モジュール１０１を屋根１０４に固定した取付金
具１０３によって支持しながら設置する方法は、屋根１０４の勾配方向と直行する方向に
桟木１０５を設ける必要があるとともに、数多くの取付金具１０３をネジ１０６等により
屋根１０４に固定しなければならないため作業に多くの時間を要する。
【０００６】
また、図１４に示すような太陽電池モジュール一体型屋根材１０８を用いて屋根を葺く
ことで設置する方法は、ベース材１０９上に固定部材１１０を介して太陽電池モジュール
１１１を取付ける作業を行い、太陽電池モジュール一体型屋根材１０８を作成してから屋
根１１２上に設置する必要があるため、太陽電池モジュールを設置するまでの作業が煩雑
であるとともに多くの時間を要する。
【０００７】
そして又、図１５に示すように、表面に太陽電池モジュール１１３を接着剤により接着
した瓦１１４を用いて設置する方法は、その瓦１１４で屋根を葺く作業だけでよいので太
陽電池モジュール１１３の設置には多くの時間は要しないが、接着剤が劣化しやすいため
年月の経過や雨風等の気象状況により太陽電池モジュール１１３が瓦１１４から剥離し、
瓦１１４（屋根１１５）から落下する恐れがある。
【発明の概要】
【発明が解決しようとする課題】
【０００８】
そこで本発明は、上記のような従来の欠点を解消するものであり、屋根材本体の表面に
太陽電池モジュールを接着剤等により固定した太陽電池モジュール一体型の屋根材にあっ
て、接着剤の劣化等によって太陽電池モジュールが屋根材本体から剥離した場合でも、確
実に屋根材本体に固定できるようにした太陽電池モジュール一体型屋根材の固定治具及び
この固定治具を使用した太陽電池モジュール一体型屋根材の連結構造を提供することを目
的とする。
【課題を解決するための手段】
【０００９】
上記の目的を達成するため、本願の請求項１に係る発明は、屋根材本体の上面に太陽電
池モジュールを接着等により固定した太陽電池モジュール一体型屋根材の固定冶具であっ
て、矩形状の水平部と、該水平部の後端からほゞ垂直に立ち上がる第３起立部及びその上
端からほゞ直角に前方に延出する第２押さえ部からなる上段側屋根材の押さえ部と、前記
水平部の前端から第１折り曲げ部を形成しつつ裏面側に折り返した第１折り返し部と、そ
の後端からほゞ垂直に立ち上がる第１起立部及びその上端からほゞ直角に後方に延出する
第１押さえ部からなる下段側屋根材の押さえ部をそれぞれ備えたことを特徴とする。
【００１０】
また本願の請求項２に係る発明は、請求項１記載の固定冶具の第１折り返し部を長さ方
向に分割して複数の区画部を形成するとゝもに、前記第１折り返し部を形成しない区画部
において、前記第１折り曲げ部とほゞ同位置で第２折り曲げ部を形成しつつ前記水平部の
表面側に折り返した第２折り返し部と、該第２折り返し部の後端であって前記第３起立部
の前方でほゞ垂直に立ち上がる第２起立部とをそれぞれ備えたことを特徴とする。
【００１１】
更に、本願の請求項３に係る発明は、請求項１記載の固定冶具の第１折り返し部を長さ
方向に分割して３つの区画部を形成するとゝもに、中央の区画部において、前記第１折り
曲げ部とほゞ同位置で第２折り曲げ部を形成しつつ前記水平部の表面側に折り返した第２
折り返し部と、該第２折り返し部の後端であって前記第３起立部の前方においてほゞ垂直
に立ち上がる第２起立部とをそれぞれ備えたことを特徴とする。
【００１２】
そして、上記の目的を達成するため、本願の請求項４に係る発明は、請求項１記載の固
定冶具を用いて太陽電池モジュール一体型屋根材で屋根を軒棟方向に葺く際の連結構造で
あって、屋根材の上辺係止部の取付部に釘等を打ち込んで下段側の屋根材を野地板等に固
定し、前記下段側の屋根材の上辺係止部を上段側の屋根材の下辺係止部内に挿入して係止
することによって屋根材を連結するとゝもに、前記下段側の屋根材と上段側の屋根材との
間に形成された連結隙間に前記固定冶具をその第１折り曲げ部を押入して設置することで
、前記第１押さえ部の下面で下段側の屋根材の太陽電池モジュールを、前記第２押さえ部
の下面で上段側の屋根材の太陽電池モジュールをそれぞれ固定する構成としたことを特徴
とする。
【００１３】
また、上記の目的を達成するため、本願の請求項５に係る発明は、請求項２又は３記載
の固定冶具を用いて太陽電池モジュール一体型屋根材で屋根を軒棟方向に葺く際の太陽電
池モジュール一体型屋根材の連結構造であって、屋根材の上辺係止部の取付部に釘等を打
ち込んで下段側の屋根材を野地板等に固定し、前記下段側の屋根材の上辺係止部を上段側
の屋根材の下辺係止部内に挿入して係止することによって屋根材を連結するとゝもに、前
記下段側の屋根材と上段側の屋根材との間に形成された連結隙間に前記固定冶具の第１及
び第２折り曲げ部をそれぞれ押入して設置することで、前記第１押さえ部の下面で下段側
の屋根材の太陽電池モジュールを、前記第２押さえ部の下面で上段側の屋根材の太陽電池
モジュールをそれぞれ固定する構成としたことを特徴とする。
【００１４】
更に、上記の目的を達成するため、本願の請求項６に係る発明は、請求項２又は３記載
の固定冶具を用いて太陽電池モジュール一体型屋根材で屋根を軒棟方向に葺く際の太陽電
池モジュール一体型屋根材の連結構造であって、屋根材の上辺係止部の取付部に釘等を打
ち込んで下段側の屋根材を野地板等に固定する一方、前記上段側の屋根材の下辺係止部を
前記固定冶具の水平部及び第３起立部並びに第２折り返し部及び第２起立部よって形成さ
れる隙間に挿入して一体とし、前記下段側の屋根材の上辺係止部近傍の表面と上辺係止部
によって形成された隙間に前記固定冶具の第１及び第２折り曲げ部をそれぞれ押入すると
ともに前記上辺係止部の凹部と係止させて設置することで、前記第１押さえ部の下面で下
段側の屋根材の太陽電池モジュールを、前記第２押さえ部の下面で上段側の屋根材の太陽
電池モジュールをそれぞれ固定する構成としたことを特徴とする。
【発明の効果】
【００１５】
本願の請求項１，２および３に記載の固定治具は、上記のように、構造が簡単で部品数
も１つのみであるため、上段側の屋根材と下段側の屋根材との連結箇所への設置も容易で
手間がかからない。また、一枚の金属板を折り曲げて形成することができるため、その形
成も容易であるとともに安価に製造することができるという効果を有する。
【００１６】
一方、本願の請求項４に記載の太陽電池モジュール一体型屋根材の連結構造は上記のよ
うな構成であるから、前記下段側の屋根材の上辺係止部近傍の表面と上段側の屋根材の下
辺係止部の水平部との間に形成された隙間に前記固定冶具の第１折り曲げ部を押入するこ
とで、第１折り曲げ部を支点とした固定冶具の材料の弾性復元力により、第１押さえ部の
下面で下段側の屋根材の太陽電池モジュールの表面を押さえて下段側の屋根材に太陽電池
モジュールを固定することができるともに、固定冶具の水平部の上面で上段側の屋根材の
下辺係止部を上方向に附勢させるため下段側の屋根材及び上段側の屋根材の係止における
がたの発生を防止し、更には第２押さえ部の下面で上段側の屋根材の太陽電池モジュール
の表面を押さえて上段側の屋根材に太陽電池モジュールを固定することができる。そのた
め、固定冶具の簡単な設置作業により、太陽電池モジュールの屋根材からの落下を防止す
ることができるといった効果を奏する。
【００１７】
また、本願の請求項５に記載の太陽電池モジュール一体型屋根材の連結構造は上記のよ
うな構成であるから、前記下段側の屋根材の上辺係止部近傍の表面と上段側の屋根材の下
辺係止部の水平部との間に形成された隙間に前記固定冶具の第１及び第２折り曲げ部をそ
れぞれ押入することで、第１折り曲げ部に加えて前記第２折り曲げ部を支点とした固定冶
具の材料の弾性復元力により、第１押さえ部の下面で下段側の屋根材の太陽電池モジュー
ルの表面を押さえて下段側の屋根材に太陽電池モジュールを固定することができるととも
に、第２折り返し部の上面で上段側の屋根材の下辺係止部を上方向に附勢させるため下段
側の屋根材及び上段側の屋根材の係止におけるがたの発生を防止し、更には第２押さえ部
の下面で上段側の屋根材の太陽電池モジュールの表面を押さえて上段側の屋根材に太陽電
池モジュールを固定することができる。そのため、固定冶具の簡単な設置作業により、太
陽電池モジュールの屋根材からの落下を防止することができるといった効果を奏する。
【００１８】
また、本願の請求項６に記載の太陽電池モジュール一体型屋根材の連結構造は上記のよ
うな構成であるため、前記上段側の屋根材の下辺係止部を前記固定冶具の水平部及び第３
立ち上がり部並びに第２立ち上がり部及び第２折り返し部が形成する隙間に挿入すること
で、第２折り返し部及び第２起立部が上段側の屋根材の下辺係止部と係止して、上段側の
屋根材と固定冶具が一体となり、固定冶具の屋根材からの離脱を防止する。
【００１９】
それと共に、固定冶具の水平部及び上段側屋根材押さえ部の第２押さえ部によって上段
側の屋根材の下辺係止部と太陽電池モジュールを上下から挟み込むため、太陽電池モジュ
ールを上段側の屋根材に固定することができる。また、上段側の屋根材と一体となった固
定冶具の第１折り曲げ部及び第２折り曲げ部を下段側の屋根材の上辺係止部の近傍の表面
と上辺係止部によって形成される隙間に押入し、固定冶具の第１折り曲げ部及び第２折り
曲げ部を上辺係止部の凹部と係止させるこで、第１折り曲げ部を支点とした固定冶具の材
料の下方向への弾性復元力により、第１押さえ部の下面で下段側の屋根材の太陽電池モジ
ュールの表面を押さえて下段側の屋根材に太陽電池モジュールを下段側の屋根材に固定す
ることができる。そのため、太陽電池モジュールが屋根材から落下するのを防止できる。
【図面の簡単な説明】
【００２０】
【図１】本発明に係る固定冶具の前方斜視図である。
【図２】同固定冶具の後方斜視図である。
【図３】同固定冶具の左側面図である。
【図４】本発明の他の実施例に係る固定冶具の一部を切欠いた前方斜視図である。
【図５】同固定冶具の後方斜視図である。
【図６】同固定冶具の左側面図である。
【図７】本発明に係る固定冶具を用いて太陽電池モジュール一体型屋根材を軒棟方          向に葺く際の敷設作業説明図である。
【図８】本発明の他の実施例に係る固定冶具を用いて太陽電池モジュール一体型屋          根材を軒棟方向に葺く際の葺設作業説明図である。
【図９】同固定冶具を太陽電池モジュール一体型屋根材に取り付けた状態を示す拡          大部分図である。
【図１０】同固定冶具を用いて太陽電池モジュール一体型屋根材を軒棟方向に葺く            際の葺設作業説明図である。
【図１１】太陽電池モジュール一体型屋根材で屋根を葺いた状態の平面図である。
【図１２】本発明に用いる太陽電池モジュール一体型屋根材の斜視図である。
【図１３】従来の太陽電池モジュール一体型屋根材で屋根を葺いた連結部の拡大一            部断面部分図である。
【図１４】従来の太陽電池モジュール一体型屋根材で屋根を葺いた状態の側面図で            ある。
【図１５】従来の太陽電池モジュール一体型の屋根材で屋根を葺いた状態の断面図            である。
【発明を実施するための形態】
【００２１】
以下、本願発明を図１乃至図１２に示す実施形態により詳細に説明する。図において、
１及び１Ａは本願発明に係る太陽電池モジュール一体型屋根材の固定治具で、一枚の略長
方形の薄い金属鋼板を折り曲げることによって形成されている。
【００２２】
先ず、請求項１記載の固定冶具１について図１乃至図３に基づいて説明すると、２は横
長方形状の水平部で、その後方向Ａ2 の端部（以下「後端」という）から上段側屋根材の
押さえ部ａ１が形成されている。具体的には、上段側屋根材の押さえ部ａ１は水平部２の
後端からほゞ垂直に立ち上がる第３起立部３と、その第３起立部３の上端からほゞ直角に
前方向Ａ1 に折り曲げられて形成した第２押さえ部４から構成されている。
【００２３】
５は第１折り返し部で、水平部２の前方向Ａ1 の端部（以下「前端」という）を第１折
り曲げ部８で水平部２の下面６側に約１８０°の角度で折り曲げて形成したものである。
詳しくは、前記第１折り返し部５は前記水平部２の下面６側にその下面６とは所定の間隔
をあけて前記水平部２とほぼ平行に形成されたものである。そして、その第１折り返し部
５の後端からほゞ垂直に立ち上がった第１起立部９と、その第１起立部９の上端から後方
向Ａ2 にほゞ直角に折り曲げられて形成した第１押さえ部１０とによって下段側屋根材の
押さえ部ａ２が形成されている。
【００２４】
請求項２及び３記載の固定冶具１Ａは、図４乃至図６に示すように、上記請求項１記載
の固定冶具１の構成に加えて第２折り返し部１１を備えている。この第２折り返し部１１
は、前記第１折り返し部５を長さ方向（図では左右方向）に分割して形成した３つの区画
部のうち、第１折り返し部５，５を形成しなかった中央の区画部を前記第１折り返し部５
とは反対側に折り返して形成したものである。
【００２５】
すなわち、第２折り返し部１１は、中央の区画部の前端を前記第１折り曲げ部８，８と
ほゞ同位置の第２折り曲げ部１３で前記水平部２の上面１２側に約１８０°の角度で折り
返して形成され、前記水平部２の上面１２とは所定の間隔をあけて水平部２とほぼ平行状
態に形成されている。なお、図中１４は前記第２折り返し部１１の後端に形成したほゞ垂
直に立ち上がった第２起立部である。
【００２６】
なお、図４乃至図６に示す固定治具１Ａは、水平部２の長さ方向において第１折り返し
部５を３分割し、左右両端の区画部に第１折り返し部５，５を、中央の区画部に第２折り
返し部１１をそれぞれ形成した構成としているが、その逆、すなわち、水平部２の中央の
区画部に第１折り返し部５を、両端の区画部に第２折り返し部１１，１１を形成した構成
としてもよい。
【００２７】
さらに、第１折り返し部５の分割の数についても必ずしも３分割である必要はなく、固
定冶具１Ａを設置したときに屋根材１５，１６に太陽電池モジュール１８を強固に固定で
きるのであれば４分割以上であってもよい。また、その分割の比率も均等である必要は無
く中央の区画の第２折り返し部１１が両端の区画の第１折り返し部５，５よりも幅が広く
てもよい。
【００２８】
次に、上記構成からなる固定治具１（１Ａ）を使用して、図１２に示す太陽電池モジュ
ール一体型屋根材１９で屋根を軒棟方向Ｂに葺く場合の下段側の屋根材本体１６及び上段
側の屋根材本体１５へ、太陽電池モジュール１８をその上面からそれぞれ押さえられる太
陽電池モジュール一体型屋根材１９の連結構造について、図７乃至図１２に基づいて説明
する。
【００２９】
ここで使用する太陽電池モジュール一体型屋根材１９の屋根材本体１５，１６は、図１
２に示すように、一枚の薄い金属鋼板を折り曲げて形成したものである。詳しくは、横長
方形状の屋根材本体１５，１６の下辺には裏面２０側に折り曲げて下辺係止部２１が形成
されている。この下辺係止部２１は、裏面２０側に９０°に折り曲げて形成した所定の高
さを有する垂下部２２と、その垂下部２２から更に裏面２０側に約９０°折り返して形成
した水平部２３から構成され、全体として断面コの字状に形成されている。
【００３０】
一方、屋根材本体１５，１６の上辺には、表面２４側にＳ字状に折り曲げられて下辺係
止部２１と係止する上辺係止部２５が形成されており、該上辺係止部２５の上端縁には、
屋根材１９を屋根に固定するための取付部２６が形成され、この取付部２６に連続して表
面２４側に向かって鋭角的に折り返された幅狭な折曲片２８が形成されている。また、屋
根材本体１５，１６の表面２４側には、その表面２４の面積よりも一回り小さい略長方形
の太陽電池モジュール１８が接着剤（図示せず）を介して固定されており、太陽電池モジ
ュール一体型の屋根材１９を構成している。
【００３１】
上記太陽電池モジュール一体型の屋根材１９を用いて図１１に示すように軒棟方向Ｂに
屋根を葺く場合には、まず図７及び図８に示すように、下段側の屋根材１９の取付部２６
に釘２９等を打ち込み、図示しないルーフィング材などを介して野地板等３０に下段側の
太陽電池モジュール一体型屋根材１９を固定する。
【００３２】
つぎに、下段側の太陽電池モジュール一体型屋根材１９の上辺係止部２５の上に、これ
と連結させる上段側の太陽電池モジュール一体型屋根材１９の下辺係止部２１を載せ、該
上段側の太陽電池モジュール一体型屋根材１９を軒棟方向Ｂにスライドさせることで下段
側屋根材１９の上辺係止部２５に上段側の太陽電池モジュール一体型屋根材１９の下辺係
止部２１を挿入し係止させる。このとき、下段側の屋根材１９の上辺係止部２５近傍の表
面２４と上段側の屋根材１９の下辺係止部２１の水平部２３との間に隙間３１成される。
【００３３】
次に、上記の隙間３１に固定冶具１（１Ａ）を設置する作業を行う。具体的には、請求
項１記載の固定冶具１を使用する場合には、図７に示すように、固定冶具１の第１折り曲
げ部８を隙間３１に押入し、第１起立部９が下段側の屋根材１９の太陽電池モジュール１
８の上端面３２よりも軒棟方向Ｂで上位置にくるまで第１折り曲げ部８を隙間３１内に押
入する。このように設置することで、固定冶具１の水平部２と上段側の屋根材１９の押さ
え部ａ１の第２押さえ部４によって上段側の屋根材１９の下辺係止部２１と太陽電池モジ
ュール１８を上下から挟み込まれ、太陽電池モジュール１８は上段側の屋根材１９、詳し
くは上段側の屋根材１９の屋根材本体１５に固定される。
【００３４】
それと同時に、固定冶具１の下方向への弾性復元力により、第１折り曲げ部８を支点と
して下段側の屋根材１９の押さえ部ａ２を構成する第１押さえ部１０がその下面３３で下
段側の屋根材１９の太陽電池モジュール１８の表面３４を押圧し、太陽電池モジュール１
８が下段側の屋根材１９、詳しくは屋根材１９の屋根材本体１５に固定される。したがっ
て、簡単な作業で固定冶具１を設置できるとゝもに、固定冶具１の設置により屋根材本体
１５，１６に太陽電池モジュール１８を固定でき、太陽電池モジュール１８の屋根材１９
からの落下を防止できる。
【００３５】
また、上段側の屋根材１９の水平部２３が固定冶具１の水平部２上面１２によって上方
向に附勢されると同時に、上段側の屋根材１９の自重により水平部２上面が下方向に押し
返されるため、下段側の屋根材１９の表面２４と第１折り返し部５が密着すると同時に、
上段側の屋根材１９の水平部２３と固定冶具１の水平部２が密着する。そのため、上段側
の屋根材１９と下段側の屋根材１９の係止部のがたつきの発生を防止できるとゝもに、密
着により固定冶具１が隙間３１からずれ落ちるのを防止する。
【００３６】
なお、仮に固定冶具１が軒方向Ｂ1 に滑り落ちてしまった場合であっても、第１起立部
９が下段側の屋根材１９の太陽電池モジュール１８の端面に突き当たるため、固定冶具１
が屋根材１９から離脱する心配はない。ここで、固定冶具１が軒方向Ｂ1 に滑り落ちてし
まった場合であっても、上段側の屋根材１９の太陽電池モジュール１８を固定できるよう
に、第２押さえ部４を長めに設定しておくことが望ましい。
【００３７】
一方、本願発明の請求項２及び３に記載の固定治具１Ａを使用する場合には、図８に示
すように、固定冶具１Ａの第１折り曲げ部８および第２折り曲げ部１３を隙間３１内に押
入し、第１起立部９が下段側の屋根材１９の太陽電池モジュール１８の端面３２よりも軒
棟方向Ｂで上位置にくるまで押入する。
【００３８】
このように設置することで、固定冶具１Ａの弾性復元力により、第２折り返し部１１は
第２折り曲げ部１３を支点として上動し、第２折り返し部１１の上面３５で上段側の屋根
材１９の下辺係止部２１を上方向に附勢させる。これにより、上段側の屋根材１９の押さ
え部ａ１の第２押さえ部４の下面３６で上段側の屋根材１９の太陽電池モジュール１８の
表面３４を弾性的に押さえつけ、太陽電池モジュール１８が上段側の屋根材１９の屋根材
本体１５に固定される。同時に、下段側の屋根材１９の押さえ部ａ２の第１押さえ部１０
は、下方向への弾性復元力によりその下面３３で下段側の屋根材１９の太陽電池モジュー
ル１８の表面３４を押圧し、太陽電池モジュール１８を下段側の屋根材本体１６に固定す
る。
【００３９】
したがって、固定冶具１Ａを使用する場合でも、上記のように、簡単な取付け作業で上
段側の屋根材１９と下段側の屋根材１９との連結部に設置できるとゝもに、この固定冶具
１Ａの設置により屋根材１９の太陽電池モジュール１８をその上面から押さえることで固
定でき、例えば接着剤の劣化や風雨などにより屋根材本体１５，１６から太陽電池モジュ
ール１８が剥離し或いは損傷したような場合でも、太陽電池モジュール１８の屋根材１９
からの落下を防止できる。
【００４０】
上記実施例では、図７及び図８に示すように、第２押さえ部４の下面３６と上段側の屋
根材１９の太陽電池モジュール１８の表面３４が、及び第１押さえ部１０の下面３３と下
段側の屋根材１９の太陽電池モジュール１８の表面３４がそれぞれ常に接して押圧してい
る状態であるが、第１押さえ部１０の下面３３又は第２押さえ部４の下面３６と太陽電池
モジュール１８の表面３４との間に狭い隙間があってもよい。
【００４１】
また、図１１に示すように、固定冶具１（１Ａ）は横方向Ｃに、屋根材１９一枚つにつ
き２個以上設置するのが好ましい。このように、横方向Ｃに複数個設置することで、上段
側の屋根材１９の下辺係止部２１を上方向に附勢しながら水平に支持することができ、安
定した屋根材１９の支持及び太陽電池モジュール１８の固定が可能となる。
【００４２】
次に、上記構成からなる固定治具１Ａを使用して太陽電池モジュール一体型屋根材１９
を係止させることにより、屋根を軒棟方向Ｂに葺く場合の下段側の屋根材１９および上段
側の屋根材１９の太陽電池モジュール１８の連結構造の他の実施例について、図９及び図
１０に基づいて説明する。
【００４３】
上記屋根材１９を用いて軒棟方向Ｂに屋根を葺く場合には、上記実施例の場合と同じよ
うに施工する。すなわち、先ず図１０に示すように、下段側の屋根材１９をその取付部２
６に釘２９等を打ち込み、図示しないルーフィング材などを介して屋根の野地板等３０に
固定する。
【００４４】
一方、上段側の屋根材１９の下辺係止部２１には、図９に示すように、固定冶具１Ａの
水平部２及び第３起立部３、並びに第２折り返し部１１及び第２起立部１４の間に形成さ
れたＬ字形の隙間３８に、下辺係止部２１の垂下部２２及び水平部２３を屋根材１９の側
端面からそれぞれ挿入する。こうすることで、固定冶具１Ａの水平部２と上段側の屋根材
１９の押さえ部ａ１の第２押さえ部４によって、上段側の屋根材１９の下辺係止部２１と
太陽電池モジュール１８を上下から挟み込み、太陽電池モジュール１８が上段側の屋根材
１９に固定される。それと同時に、第２折り返し部１１及び第２起立部１４が上段側の屋
根材１９の下辺係止部２１と係止するため、上段側の屋根材１９と固定冶具１Ａが常に一
体となり、固定冶具１Ａが上段側の屋根材１９からの離脱を防止する。
【００４５】
そして、図１０に示すように、上段側の屋根材１９と一体となった固定冶具１Ａの第１
折り曲げ部８及び第２折り曲げ部１３を、下段側の屋根材１９の上辺係止部２５近傍の表
面と上辺係止部２５によって形成される隙間３９に押入し、第１起立部９が下段側の屋根
材１９の太陽電池モジュール１８の上端面３２よりも軒棟方向Ｂで上位置にくるまで押入
すると同時に、固定冶具１Ａの第１折り曲げ部８及び第２折り曲げ部１３を上辺係止部２
５の凹部４０と係止させる。
【００４６】
このように設置することで、固定冶具１Ａの下段側屋根材の押さえ部ａ２の第１押さえ
部１０が第１折り曲げ部１８を支点として下方向への弾性復元し、その下面３３で下段側
の屋根材１９の太陽電池モジュール１８の表面３４を押圧し、太陽電池モジュール１８は
下段側の屋根材１９に固定される。よって、本実施例においても簡単な作業で固定冶具１
Ａを設置できるとともに、その設置により屋根材１９に太陽電池モジュール１８を固定で
き、太陽電池モジュール１８の屋根材１９からの落下を防止できる。
【００４７】
また本実施例の場合にも、第１押さえ部１０の下面３３又は第２押さえ部４の下面と太
陽電池モジュール１８の表面３４との間に狭い隙間があってもよく、図９に示すように固
定冶具１Ａは桁方向Ｃにおいて屋根材１９一枚につき２つ以上設置するのが好ましい。
【符号の説明】
【００４８】
１，１Ａ  固定治具
２  水平部
ａ１  上段側屋根材の押さえ部
ａ２  下段側屋根材の押さえ部
３  第３起立部
４  第２押さえ部
５  第１折り返し部
６  下面（水平部）
８  第１折り曲げ部
９  第１起立部
１０  第１押さえ部
１１  第２折り返し部
１２  水平部
１３  第２折り曲げ部
１４  第２起立部
１５，１６  屋根材本体
１８  太陽電池モジュール
１９  太陽電池モジュール一体型屋根材
２１  下辺係止部
２２  垂下部
２３  下辺係止部
２５  上辺係止部
２６  取付部
２８  折曲片
３１  隙間
３８  隙間
３９  隙間
４０  凹部
【図１】
2011089280.tif 000003
【図２】
2011089280.tif 000004
【図３】
2011089280.tif 000005
【図４】
2011089280.tif 000006
【図５】
2011089280.tif 000007
【図６】
2011089280.tif 000008
【図７】
2011089280.tif 000009
【図８】
2011089280.tif 000010
【図９】
2011089280.tif 000011
【図１０】
2011089280.tif 000012
【図１１】
2011089280.tif 000013
【図１２】
2011089280.tif 000014
【図１３】
2011089280.tif 000015
【図１４】
2011089280.tif 000016
【図１５】
2011089280.tif 000017